(57)【特許請求の範囲】
【請求項１】
所定の間隔で対向する一対のガイド板と、前記ガイド板の延伸方向に沿って複数配置され両ガイド板間で媒体を搬送する搬送手段とからなる搬送路を有し、前記搬送手段によって前記ガイド板間で媒体を搬送する媒体処理装置であって、
前記一対のガイド板の少なくとも一方は、全体または一部を、両ガイド板間を搬送される媒体を板面の外側から視認可能な材料で構成し、
前記一対のガイド板の一側面を固定するフレームを設け、
前記搬送手段を、前記フレームに固定された一側面から前記フレームに固定されていない他側面の間に配置し、
前記一対のガイド板の少なくとも一方の、前記他側面から直近の前記搬送手段までの間を平面形状としたことを特徴とする媒体処理装置。
【請求項２】
請求項１に記載の媒体処理装置において、
前記一対のガイド板は、両方とも全体または一部を、両ガイド板間を搬送される媒体を板面の外側から視認可能な材料で構成したことを特徴とする媒体処理装置。
【請求項３】
請求項１または請求項２に記載の媒体処理装置において、
前記他側面に前記一対のガイド板を固定するロック機構を設け、
前記ロック機構を解除し、前記一対のガイド板のいずれか一方を前記一側面を中心に移動させることで、前記搬送路を開放可能に構成したことを特徴とする媒体処理装置。
【請求項４】
請求項１ないし請求項３のいずれか１項に記載の媒体処理装置において、
前記ガイド板の、前記一側面から前記搬送手段までの間にリブを設けたことを特徴とする媒体処理装置。
【請求項５】
請求項１ないし請求項３のいずれか１項に記載の媒体処理装置において、
前記ガイド板の、媒体の幅方向に向かって媒体と対向する部分にリブを設け、
前記リブは三角形の断面を有する形状としたことを特徴とする媒体処理装置。
【請求項６】
請求項１ないし請求項３のいずれか１項に記載の媒体処理装置において、
前記ガイド板の、前記一側面から前記搬送手段までの間にリブを設け、
前記リブは三角形の断面を有する形状としたことを特徴とする媒体処理装置。
【請求項７】
請求項１ないし請求項６のいずれか１項に記載の媒体処理装置において、
前記搬送手段は、前記ガイド板間で媒体を挟持しながら搬送する複数のローラから成り、
前記一対のガイド板に複数の切り欠き部を設け、
前記切り欠き部から前記ローラの一部が前記搬送路内に突出するように前記ローラを前記ガイド板に設けたことを特徴とする媒体処理装置。
【請求項８】
請求項７に記載の媒体処理装置において、
前記一対のガイド板のうちの一方のガイド板に設けられるローラは駆動力が伝達されることで回転するシャフトに取付けられた駆動ローラであり、
前記一対のガイド板のうちの他方のガイド板に設けられるローラは弾性材により付勢される押し付けローラであり、
前記押し付けローラは前記駆動ローラと対向する位置に設けられていることを特徴とする媒体処理装置。
【発明の詳細な説明】
【技術分野】
【０００１】
本発明は、紙幣等の媒体を取扱う媒体処理装置に関し、特に搬送路に残留した媒体を発見するための技術に関する。
【背景技術】
【０００２】
従来の媒体処理装置としての紙幣処理装置は、紙幣を搬送する搬送路は一対のガイド板と紙幣を運ぶためのベルトとローラ等によって構成され、紙幣搬送時にガイド板間を所定の間隔をもって閉じた状態、つまり搬送路を閉状態とすることで、ベルトとローラによって搬送される紙幣が一対のガイド板間を通過するようになっており、紙幣の搬送不具合等によって紙幣が搬送路に残留した場合、搬送路を開状態にして搬送路に残留している紙幣を取り除くようにしている（例えば、特許文献１参照。）。
【先行技術文献】
【特許文献】
【０００３】
【特許文献１】特開２００７−２６０１４公報
【発明の概要】
【発明が解決しようとする課題】
【０００４】
しかしながら、上述した従来の技術においては、紙幣（媒体）が搬送路に残留している場合、その紙幣の位置は搬送路を開状態にするまで分からないために、残留している紙幣を見つけるのに時間が掛かってしまう場合があるという問題がある。
本発明は、上記の問題点を解決するための手段を提供することを目的とする。
【課題を解決するための手段】
【０００５】
そのため、本発明は、所定の間隔で対向する一対のガイド板と、前記ガイド板の延伸方向に沿って複数配置され両ガイド板間で媒体を搬送する搬送手段とからなる搬送路を有し、前記搬送手段によって前記ガイド板間で媒体を搬送する媒体処理装置であって、
前記一対のガイド板の少なくとも一方は、全体または一部を、両ガイド板間を搬送される媒体を板面の外側から視認可能な材料で構成し、前記一対のガイド板の一側面を固定するフレームを設け、前記搬送手段を、前記フレームに固定された一側面から前記フレームに固定されていない他側面の間に配置し、前記一対のガイド板の少なくとも一方の、前記他側面から直近の前記搬送手段までの間を平面形状としたことを特徴とする。
【発明の効果】
【０００６】
これにより、本発明は、搬送ジャムで媒体（紙幣）が搬送路に残留した場合に、ガイド板を通して搬送路の状態が視認可能となるため、係員にとっては残留した媒体を容易に見つけることができるので、残留している媒体を取り除くまでの時間を短縮させることができるという効果が得られる。
【図面の簡単な説明】
【０００７】
【図１】実施例１の現金入出金機を示す説明図
【図２】実施例１の紙幣処理装置を示す説明図
【図３】実施例１の搬送路を示す説明図
【図４】実施例１の搬送を示す正面図
【図５】目線方向に応じたリブの形状例を示す説明図
【図６】実施例２の搬送路を示す説明図
【図７】実施例２の搬送路を斜め方向から見た様子を示す概略図
【図８】実施例２とは異なる形状である窪み部を示す説明図
【発明を実施するための形態】
【０００８】
以下に、図面を参照して本発明による紙幣処理装置の実施例について説明する。
【実施例１】
【０００９】
図１は実施例１の現金入出金機を示す説明図である。
図１において、１は媒体処理装置としての紙幣処理装置を搭載する現金入出金機であり、筐体前面にＬＣＤやＣＲＴ等の表示画面およびその画面上に配したタッチパネル等の入力手段とからなる表示入力部２と、顧客が媒体である紙幣を投入すると共に顧客に紙幣を払出す際は払出口として機能する紙幣投入口３等を設けると共に、その紙幣投入口３に投入された紙幣や顧客に払出す紙幣を取扱う紙幣処理装置４を搭載している。
【００１０】
図２は実施例１の紙幣処理装置を示す説明図である。
図２において、５は紙幣受入部であり、紙幣を集積して収納するための収納空間を有しており、上記の現金入出金機１の筐体に設けられた紙幣投入口３に投入された紙幣を受け入れて収納する。
紙幣受入部５は、その収納空間に図示しないビルプレスと収納空間内に一部が突出するように配された繰出ローラを設けていることで、ビルプレスと繰出ローラとで分離機構を構成し、収納した紙幣をビルプレスによって繰出ローラに押圧して繰出ローラを回転させることで、紙幣を搬送路に繰出していく機能を有する。
【００１１】
６は搬送路であり、紙幣受入部５から繰出された紙幣を紙幣処理装置４の各部へと搬送し、その途中に図示しないブレードを複数設けており、このブレードを動かすことで紙幣の搬送方向を切り替えるようになっている。
また搬送路６の各所には光学式等の検知センサが複数設けられており、この検知センサによって搬送されている紙幣を検知する他、重送や搬送ジャム等の搬送エラーを検知する。
【００１２】
７は紙幣鑑別部であり、搬送される紙幣の真偽や正損、金種等を鑑別すると共に鑑別した紙幣の枚数を計数する機能を有する。
８は一時保留部であり、紙幣鑑別部７で正券と鑑別され、計数された紙幣を集積して一時保留する。また一時保留している紙幣を搬送路６に繰出す繰出手段を備えている。
９はリジェクト紙幣返却部であり、紙幣鑑別部７で偽券や金種不明と鑑別されたリジェクト紙幣や搬送エラー発生時に搬送路６に繰出されている紙幣等の返却対象の紙幣を集積する。
【００１３】
１０ａ〜１０ｄは集積部であり、筐体内に設けられて縦一列に並べられており、それぞれ予め定められた金種の紙幣を一定枚数集積するようになっている。尚、本実施例においてはその数は４つとしているが、それに限られるものではないことはいうまでもない。
１１は補充回収部であり、着脱可能に構成されて集積部１０ａ〜１０ｄに補充する紙幣を収納した状態で紙幣処理装置４に装着され、集積部１０ａ〜１０ｄ内から回収する場合にその回収される紙幣を収納した状態で取り外される。
【００１４】
図３は実施例１の搬送路を示す説明図であり、（ａ）は側方から見た様子を示し、（ｂ）は斜め方向から見た様子を示している。
図３において、１５は搬送ガイド部であり、所定の間隔で対向する上搬送ガイド板１６と下搬送ガイド板１７とによって構成され、上搬送ガイド板１６には後述するローラの一部を突出させるための切り欠きが複数設けられており、その切り欠きの位置と対向するように下搬送ガイド板１７にも同様の切り欠きが設けられている。
【００１５】
また下搬送ガイド板１７には、後述する駆動シャフト２０と従動シャフト２１を挿通させるための開口孔が設けられている。
なお、上搬送ガイド板１６は搬送される紙幣の上面と対向し、下搬送ガイド板１７は紙幣の下面と対向する。
上搬送ガイド板１６と下搬送ガイド板１７は共に、合成樹脂等を用いた透明または半透明であって、その板面の外部から上搬送ガイド板１６と下搬送ガイド板１７間が視認可能となる材料（光透過部材という。）で形成されている。なお、透明または半透明とする板面は上搬送ガイド板１６または下搬送ガイド板１７のいずれか一方のみでも良い。
【００１６】
１８は側方フレームであり、上搬送ガイド板１６と下搬送ガイド板１７とを取り付ける、つまり搬送ガイド部１５の一側面を固定する他、図示しない軸受を介して駆動シャフト２０や従動シャフト２１を取り付けている。
なお、搬送ガイド部１５の側方フレーム１８で固定されていない側には、図示しないロック機構が配され、そのロック機構で上搬送ガイド板１６を固定するようにロックされ、そのロックが解除された時、上搬送ガイド板１６の側方フレーム１８側の端を中心にしてロック機構に固定されていた端部が上方に移動可能となり、係員等により上搬送ガイド板１６が持ち上げられることで、搬送路６が開いた開状態となる。
【００１７】
１９は駆動ローラであり、図示しない駆動源の駆動が伝達することで回転する駆動シャフト２０に固定されており、下搬送ガイド板１７の切り欠きから一部が突出する。
２１は従動シャフトであり、ベルト等による図示しない伝達手段により駆動シャフト２０の回転が伝達して回転するように設けられ、従動ローラ２２を複数取り付けている。
なお、駆動シャフト２０と従動シャフト２１は、一端は側方フレーム１８よりも外側で固定されているのに対して、他端は側方フレーム１８から最も離れている駆動ローラ１９あるいは従動ローラ２２が設けられている箇所まで延びているものとする。
【００１８】
２３は上側ローラであり、上搬送ガイド板１６の切り欠きから一部が突出して図示しないシャフトによって回転可能に取り付けられ、駆動ローラ１９と対向する位置に設けられる他、従動ローラ２２と対向する位置に設けられている。
なお、上側ローラ２３は図示しない板バネやスプリング等の弾性材によって下方への付勢力が作用しており、これによって駆動ローラ１９および従動ローラ２２に対して上側ローラ２３は押し付けられた状態となっている。
【００１９】
ここで、図４は実施例１の搬送路を示す正面図であり、図４に示すように上搬送ガイド板１６は、側方フレーム１８が設けられている側から紙幣の幅方向に向かって最も近い上側ローラ２３までの間と上側ローラ２３間とにおける紙幣と対向する部分にリブを複数設けたリブ形状に形成される。
一方、上搬送ガイド板１６の側方フレーム１８が設けられていない側から上側ローラ２３までの部分は平面形状で形成される。
また下搬送ガイド板１７は、上搬送ガイド板１６のリブ形状の部分と対向している箇所に同様のリブ形状を形成して、また上搬送ガイド板１６の平面形状の部分と対向している箇所には同様の平面形状が形成される。
【００２０】
上述した構成の作用について説明する。
紙幣の入金取引が行われて、紙幣投入口３に紙幣が投入された場合、紙幣受入部５によって紙幣を１枚ずつ分離して搬送路６に繰出していく。
次に搬送路６によって紙幣を紙幣鑑別部７に搬送して、紙幣鑑別部７で紙幣を鑑別して正券であることを確認すると共に、その確認した紙幣の金種ごとの枚数を計数し、鑑別した紙幣を一時保留部８に搬送して一時保留する。
【００２１】
そして、計数した紙幣の枚数に応じた総額と、その総額の確認を促す画面を現金入出金機１の表示入力部２の表示画面に表示させ、顧客が総額を確認した旨を表示入力部２の入力手段によって入力したときに、一時保留部８内の紙幣を繰出して金種に応じた集積部１０ａ〜１０ｄに搬送して集積する。
このとき紙幣の搬送ジャムが発生して紙幣が搬送路６内に残留し、紙幣搬送が中断した場合、保守点検を行う係員は現金入出金機１の筐体を開けて紙幣処理装置４を引き出す等、紙幣処理装置４の復旧処理のため準備を行ってから搬送路６を直接確認する。
【００２２】
ここで、上搬送ガイド板１６と下搬送ガイド板１７を光透過部材によって形成し搬送方向に対する左右の一方にのみ側方フレーム１８を設けていることから、係員は側方フレーム１８に固定されていない側から上搬送ガイド板１６が平面形状となっている箇所を目視することで、上搬送ガイド板１６を透して紙幣の有無を確認でき、残留する紙幣を確認してその紙幣を搬送路６から取り除き、紙幣処理装置４を現金入出金機１の筐体内に戻す。
そして、紙幣処理装置４が現金入出金機１内に戻されると、中断していた紙幣の搬送が再開されるようになる。
【００２３】
以上説明したように、本実施例においては、紙幣処理装置を引き出したときに搬送路に残留する紙幣を視認でき、係員にとっては容易に紙幣を見つけることができるため、復旧作業の効率が向上し、搬送ジャムの発生で紙幣の搬送が中断してから紙幣の搬送が再開されるまでの時間を短縮できる。
なお、上搬送ガイド板１６の側方フレーム１８に固定されていない側の端から直近の上側ローラ２３までをリブを設けていない平面形状とし、更に下搬送ローラ１７の側方フレーム１８に固定されていない側の端から直近の駆動ローラ１９および従動ローラ２２までをリブを設けていない平面形状としているため、点検を行う係員にとってはリブ形状の無い平面形状となっている箇所を見ることで残留している紙幣をより明確に視認できる。
【００２４】
ここで、図５は目線方向に応じたリブの形状例を示す説明図であり、上記実施例１に設けたリブについて、図５に示すように保守や点検を行う係員の目線方向の角度に基づいてその傾斜角度を定めてリブの形状を決定する、即ちリブの壁面を目線と平行または直角になるようにしてもよく、そのようにすることでリブを設けた部分を通しても紙幣の有無を明確に確認できるようになる。
なお、上搬送ガイド板１６と下搬送ガイド板１７の一部をリブ形状とすることで、上搬送ガイド板１６と下搬送ガイド板１７の強度を維持すると共に、樹脂成型にしたことによる上搬送ガイド板１６と下搬送ガイド板１７が年月が経つことで歪んで、そりが生じてしまうのを防止できる。
【実施例２】
【００２５】
上記実施例１の紙幣処理装置の構成と同様の部分は同一の符号を付してその説明を省略する。
なお、本実施例の搬送ガイド部３０は、上記実施例１の搬送ガイド部１５と同様に一側面がフレームによって固定されているものとし、他の側面はフレームで固定されていない開放面となっている。
図６は実施例２の搬送路を示す説明図であり、（ａ）は側方から見た様子を示し、（ｂ）は断面図を示すものであって図６（ａ）に示すａ−ａ線で切断した断面を示している。
【００２６】
図６において、３０は実施例２の搬送ガイド部であり、上下一対の紙幣搬送ガイド板３０ａ、３０ｂからなり、上側ローラ２３と駆動ローラ１９との間で挟持、もしくは上側ローラ２３と従動ローラ２２との間で挟持され搬送される紙幣が２枚の紙幣搬送ガイド板３０ａ、３０ｂ間を通過するようになる。
また、図６（ａ）、（ｂ）に示すように紙幣搬送ガイド板３０ａ、３０ｂは、上述した開放面に、開放面側から紙幣搬送ガイド板３０ａ、３０ｂ間に残留する紙幣を視認可能とする窪み部３３を形成している。
【００２７】
ここで、図７は実施例２の搬送路を斜め方向から見た様子を示す概略図である。
窪み部３３は、図６（ａ）の矢印Ａ方向に示す紙幣の搬送方向に対する紙幣の幅方向における紙幣搬送ガイド板３０ａ、３０ｂの側面から幅方向に沿って狭まる傾斜面と、図６（ａ）と図７に示すように紙幣の搬送方向に沿うように傾斜面の両隣でその傾斜面と連続して搬送されてくる紙幣と対向する面に延びる他の傾斜面とによって形成されている。
窪み部３３は、紙幣の上面と対向している紙幣搬送ガイド板３０ａの搬送方向に沿って並ぶ２つの上側ローラ２３間と、紙幣の下面と対向している紙幣搬送ガイド板３０ｂの駆動ローラ１９と従動ローラ２２間等、紙幣の搬送方向に沿って配置されているローラ間に設けられる。
【００２８】
さらに、窪み部３３は搬送されてくる紙幣が通過する際、その紙幣幅の約４分の１程度が視認できるように紙幣の幅方向への長さが定められ、かつ上下方向の窪み部３３の長さが保守点検等を行う係員の指で窪み部３３からはみ出したような状態の紙幣を掴める長さとなるようにその傾斜面の傾斜角等が決まっている。
また、窪み部３３は、紙幣の搬送方向に沿う長さの内、最も長い部分、つまり紙幣搬送ガイド板３０ａ、３０ｂの側面の部分が紙幣の長さと略同一であり、搬送路６の各所に設けられているものとする。
【００２９】
上述した構成の作用について説明する。
紙幣の入金取引が行われて、紙幣投入口３に紙幣が投入された場合、紙幣受入部５によって紙幣を１枚ずつ分離して搬送路６に繰出していく。
次に搬送路６によって紙幣を紙幣鑑別部７に搬送して、紙幣鑑別部７で紙幣を鑑別して正券であることを確認すると共に、その確認した紙幣の金種ごとの枚数を計数すると共に、鑑別した紙幣を一時保留部８に搬送して一時保留する。
【００３０】
そして、計数した紙幣の枚数に応じた総額と、その総額の確認を促す画面を現金入出金機１の表示入力部２の表示画面に表示させ、顧客による総額を確認した旨が表示入力部２の入力手段によって入力されたときに、一時保留部８内の紙幣を繰出して金種に応じた集積部１０ａ〜１０ｄに搬送して集積する。
このとき紙幣の搬送ジャムが発生して紙幣が搬送路６内に残留し、紙幣搬送が中断した場合、保守点検を行う係員は現金入出金機１の筐体を開けて紙幣処理装置４を引き出す等、紙幣処理装置４の復旧処理のため準備を行ってから搬送路６を直接確認する。
【００３１】
ここで、搬送路６に残留した紙幣が窪み部３３が設けられている箇所にある場合は、図７に示すように、搬送路６の窪み部３３に残留した紙幣の端部がはみ出したような状態となり、係員は窪み部３３を通して残留している紙幣を確認して、その紙幣を搬送路６から取り除き、紙幣処理装置４を現金入出金機１の筐体内に戻す。
なお、窪み部３３を係員が指で紙幣を掴める程度の大きさとしていることから、紙幣を取り除くときには、窪み部３３から紙幣を掴んで引き抜いて紙幣を取り除くこともできる。
【００３２】
以上説明したように、本実施例では、窪み部を設けたことにより、搬送ジャムが発生して搬送路の途中に紙幣が残留した場合であっても、係員は窪み部にはみ出したような状態の紙幣を視認できるため、残留した紙幣を容易に見つけることができるので復旧作業の効率を向上させることができる。
また、窪み部にある紙幣を係員の指で掴めるため搬送路に残留した紙幣を引き抜くことができるので、搬送ジャムの発生時に搬送路を開状態にする等の作業を省略することができ、より復旧作業の効率が向上する。
【００３３】
さらに、窪み部を３つの傾斜面とすることで、搬送される紙幣の端部は傾斜面に沿って移動するようになるため、紙幣の端部が窪み部に引っ掛かるのを防止できる。
ここで、図８は異なる形態の窪み部を示す説明図である。
上記実施例２においては、窪み部の形状を３つの傾斜部によって構成したものとして説明したが、それに限らず図８に示すように、紙幣面に対して垂直方向に紙幣搬送ガイド板を切り欠いて窪み部を形成するようにしてもよい。
【符号の説明】
【００３４】
１ 現金入出金機
２ 表示入力部
３ 紙幣投入口
４ 紙幣処理装置
５ 紙幣受入部
６ 搬送路
７ 紙幣鑑別部
８ 一時保留部
９ リジェクト紙幣返却部
１０ａ、１０ｂ、１０ｃ、１０ｄ 集積部
１１ 補充回収部
１５、３０ 搬送ガイド部
１６ 上搬送ガイド板
１７ 下搬送ガイド板
１８ 側方フレーム
１９ 駆動ローラ
２０ 駆動シャフト
２１ 従動シャフト
２２ 従動ローラ
２３ 上側ローラ
３０ａ、３０ｂ 紙幣搬送ガイド板
３３ 窪み部
【図１】
0005532112.tif 000002
【図２】
0005532112.tif 000003
【図３】
0005532112.tif 000004
【図４】
0005532112.tif 000005
【図５】
0005532112.tif 000006
【図６】
0005532112.tif 000007
【図７】
0005532112.tif 000008
【図８】
0005532112.tif 000009